(57)【要約】【課題】ドアロック解錠におけるロールジャムアタックの危険性を低減する技術を提供する。【解決手段】判定部２１０は、携帯機１０からのローリングコードと、当該ローリングコードと照合すべき参照用のローリングコードとをもとに、ドアロックを解錠するか否かを判定する。通知部２２０は、判定部２１０がドアロックの解錠を決定した場合、探索信号を携帯機１０に送信する。受付部２２２は、通知部２２０が送信した探索信号の応答として、レスポンス信号を携帯機１０から受信する。判定部２１０は、受付部２２２がレスポンス信号を未受信である場合に、ドアを開く動作が検出されれば、ドアロックの再施錠を決定する。【選択図】図５
2018059377.tif 000002
【特許請求の範囲】
【請求項１】
携帯機からのローリングコードと、当該ローリングコードと照合すべき参照用のローリングコードとをもとに、ドアロックを解錠するか否かを判定する判定部と、
前記判定部がドアロックの解錠を決定した場合、探索信号を前記携帯機に送信する送信部と、
前記送信部が送信した探索信号の応答として、レスポンス信号を前記携帯機から受信する受信部とを備え、
前記判定部は、前記受信部がレスポンス信号を未受信である場合に、ドアを開く動作が検出されれば、ドアロックの再施錠を決定することを特徴とする車載器。
【請求項２】
前記判定部は、前記受信部がレスポンス信号を受信した場合に、ドアを開く動作が検出されれば、ドアロックの解錠の決定を維持することを特徴とする請求項１に記載の車載器。
【請求項３】
ローリングコードを含む信号の送信によって、ドアロックの解錠を要求する携帯機と、
前記携帯機からのローリングコードと、当該ローリングコードと照合すべき参照用のローリングコードとをもとに、ドアロックを解錠するか否かを判定する車載器とを備え、
前記車載器は、ドアロックの解錠を決定した場合、探索信号を前記携帯機に送信し、
前記携帯機は、探索信号の応答として、レスポンス信号を前記車載器に送信し、
前記車載器は、レスポンス信号を未受信である場合に、ドアを開く動作が検出されれば、ドアロックの再施錠を決定することを特徴とする車両用無線通信システム。
【請求項４】
ローリングコードを含む信号の送信は、前記携帯機から前記車載器への一方向通信によってなされ、
前記携帯機への探索信号の送信および前記車載器へのレスポンス信号の送信は、当該携帯機と前記車載器との間での双方向通信によってなされることを特徴とする請求項３に記載の車両用無線通信システム。
【発明の詳細な説明】
【技術分野】
【０００１】
本発明は、通信技術に関し、特に車両に搭載された車載器と、ユーザが所持する携帯機との間で通信を実行する車載器及び車両用無線通信システムに関する。
【背景技術】
【０００２】
車両用のワイヤレスドアロック制御システムでは、個別のＩＤコードが含まれた無線信号を携帯機が送信し、車載器は、受信した無線信号中に含まれるＩＤコードと車載器側に予め設定されたＩＤコードとが一致する場合に、ドアロックを解錠させる。これにより、他者によるドアロックの解錠が防止される。また、無線信号には、ＩＤコードの他に、発信回数に対応して累進変更されるローリングコードが含まれており、車載器は、ドアロックの解錠を判定するために、ローリングコードも使用する。そのため、無線信号を傍受する装置によって無線信号を模写したとしても、発信の度にローリングコードが変更され、これが判定に使用されるので、模写した無線信号を送信するだけではドアロックを解錠できない（例えば、特許文献１参照）。
【先行技術文献】
【特許文献】
【０００３】
【特許文献１】特開平８−１０２９８２号公報
【発明の概要】
【発明が解決しようとする課題】
【０００４】
このようなローリングコードが使用されている状況下において、他者が不正にドアロックを解錠させる方法の１つがロールジャムアタックである。
【０００５】
本発明はこうした状況に鑑みてなされたものであり、その目的は、ドアロック解錠におけるロールジャムアタックの危険性を低減する技術を提供することにある。
【課題を解決するための手段】
【０００６】
上記課題を解決するために、本発明のある態様の車載器は、携帯機からのローリングコードと、当該ローリングコードと照合すべき参照用のローリングコードとをもとに、ドアロックを解錠するか否かを判定する判定部と、判定部がドアロックの解錠を決定した場合、探索信号を携帯機に送信する送信部と、送信部が送信した探索信号の応答として、レスポンス信号を携帯機から受信する受信部とを備える。判定部は、受信部がレスポンス信号を未受信である場合に、ドアを開く動作が検出されれば、ドアロックの再施錠を決定する。
【０００７】
本発明の別の態様は、車両用無線通信システムである。この車両用無線通信システムは、ローリングコードを含む信号の送信によって、ドアロックの解錠を要求する携帯機と、携帯機からのローリングコードと、当該ローリングコードと照合すべき参照用のローリングコードとをもとに、ドアロックを解錠するか否かを判定する車載器とを備える。車載器は、ドアロックの解錠を決定した場合、探索信号を携帯機に送信し、携帯機は、探索信号の応答として、レスポンス信号を車載器に送信し、車載器は、レスポンス信号を未受信である場合に、ドアを開く動作が検出されれば、ドアロックの再施錠を決定する。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、ドアロック解錠におけるロールジャムアタックの危険性を低減できる。
【図面の簡単な説明】
【００１０】
【図１】図１（ａ）−（ｃ）は、本発明の実施例の車両用無線通信システムによるスマート通信の概要を示す図である。
【図２】図２（ａ）−（ｂ）は、本発明の実施例の車両用無線通信システムによるキーレス通信の概要を示す図である。
【図３】図３（ａ）−（ｄ）は、図２（ａ）のキーレス通信の正常な処理を示す図である。
【図４】図４（ａ）−（ｃ）は、図２（ａ）のキーレス通信に対するロールジャムアタック処理を示す図である。
【図５】本発明の実施例の車両用無線通信システムの構成を示す図である。
【図６】図５の車両用無線通信システムによる処理手順を示すシーケンス図である。
【図７】図５の車載器による処理手順を示すフローチャートである。
【図８】図５の車載器による別の処理手順を示すフローチャートである。
【発明を実施するための形態】
【００１１】
本発明を具体的に説明する前に、概要を述べる。本発明の実施例は、車両に搭載された車載器と、ユーザに所持された携帯機（電子キー）との間において、車両のドアロックを解錠するための無線通信を実行する車両用無線通信システムに関する。車両用無線通信システムでは、ユーザが携帯機を用いて車両のドアロックを解錠しようとする場合に、ドアロックを解錠するためにローリングコードを含む信号が携帯機から送信される。ローリングコードを含む信号が送信されている状況下において、他者が不正にドアロックを解錠させるためにロールジャムアタックが実行される場合がある。ロールジャムアタックを実行するための装置（以下、「不正装置」という）は、携帯機からローリングコードを含む信号の受信を受けて、車載器に妨害電波を送信するとともに、携帯機からのローリングコードを含む信号を模写する。車載器は、携帯機からのローリングコードを含む信号を受信せずに、妨害電波を受信するだけなので、ドアロックを解錠しない。そのため、ユーザは、携帯機を用いて車両のドアロックを再度解錠しようとする。これにより、携帯機から、２回目のローリングコードを含む信号が送信される。２回目のローリングコードの値は、１回目のローリングコードの値よりも増加されている。例えば、「１」だけインクリメントがなされている。
【００１２】
不正装置は、携帯機からの２回目のローリングコードを含む信号の受信を受けて、１回目と同様に車載器に妨害電波を送信するとともに、既に模写した１回目のローリングコードを含む信号を車載器に送信し、２回目のローリングコードを含む信号を模写する。車載器は、妨害電波により２回目のローリングコードを含む信号を受信せず、１回目のローリングコードを含む信号を受信し、ドアロックを解錠する。その結果、携帯機のユーザは、正当にドアロックを解錠し、車両に乗り込む。一方、携帯機のユーザによる車両の使用が終了し、ドアロックが施錠された車両の車載器に対して、不正装置は、模写した２回目のローリングコードを含む信号を送信する。車載器は、２回目のローリングコードを含む信号を受信し、ドアロックを解錠してしまう。その結果、不正装置を使用する他者は、不正にドアロックを解錠し、車両に乗り込んでしまう。
【００１３】
本実施例では、ロールジャムアタックの危険性を低減するために、車載器は、ローリングコードを含む信号を受信してドアロックを解錠すると、携帯機との間で双方向の無線通信を実行する。この双方向の無線通信が完了した後に、車両のドアノブが触れられる場合、車載器はドアロックの解錠を継続する。一方、この双方向の無線通信が完了する前に、車両のドアノブが触れられる場合、車載器はドアロックを再施錠する。これは、不正装置と車載器との間では双方向の無線通信が完了しないので、ロールジャムアタックのおそれがあると推定されるからである。
【００１４】
本実施例における車両用無線通信システムは、前述のごとく、車載器と携帯機との間で無線通信を実行するが、無線通信におけるドア解錠のための通信シーケンスは、２種類定義される。１種類目は、ローリングコードを使用するとともに、携帯機から車載器への一方向通信を実行する通信シーケンスであり、「キーレス通信」と呼ばれる。２種類目は、車載器と携帯機との間で双方向通信を実行する通信シーケンスであり、「スマート通信」と呼ばれる。ここでは、スマート通信とキーレス通信の概要、キーレス通信に対するロールジャムアタックの概要、ロールジャムアタックを防止するための本実施例の構成を説明する。
【００１５】
図１（ａ）−（ｃ）は、本発明の実施例の車両用無線通信システム１０００によるスマート通信の概要を示す。スマート通信は、スマートエントリー方式、スマートキー方式、パッシブキーレスエントリー（ＰＫＥ：Ｐａｓｓｉｖｅ  Ｋｅｙｌｅｓｓ  Ｅｎｔｒｙ）方式とも呼ばれる。図１（ａ）は、車両用無線通信システム１０００による解錠動作を示す。車両用無線通信システム１０００は、携帯機１０、車載器２０を含み、車載器２０は、車両５０に搭載される。車両５０のドアロックが施錠されている状況において、携帯機１０を携帯するユーザ、つまり車両５０に乗り込もうとするユーザは、車両５０のドアノブに触れる。車両５０のドアノブが触れられたことをトリガとして、車載器２０は、探索信号を携帯機１０に送信する。探索信号は、ＬＦ（Ｌｏｗ  Ｆｒｅｑｕｅｎｃｙ）の信号、例えば、１２５ｋＨｚ帯の信号である。ＬＦの信号の通信距離は、車両５０から２ｍ程度の範囲に限定される。
【００１６】
図１（ｂ）は、探索信号のフォーマットを示す。探索信号は、認証コマンド、ＲＳＳＩ（Ｒｅｃｅｉｖｅｄ  Ｓｉｇｎａｌ  Ｓｔｒｅｎｇｔｈ  Ｉｎｄｉｃａｔｏｒ）用バーストを順に配置する。認証コマンドには、携帯機１０を識別するためのＩＤコード、スマート通信によって実行させる機能、例えばドアロックの解錠を特定するための機能コマンド等が含まれる。また、認証コマンドは暗号化されている。ＲＳＳＩ用バーストは、携帯機１０に受信信号強度を測定させるための信号である。ＲＳＳＩ用バーストはこれまで通り使用されればよいので、ここでは説明を省略する。図１（ａ）に戻る。
【００１７】
携帯機１０は、探索信号を受信すると、認証コマンドの内容を解読する。携帯機１０は、認証コマンドに含まれたＩＤコードをもとに、正当な車載器２０からの探索信号であることを認識すると、レスポンス信号を車載器２０に送信する。レスポンス信号は、ＵＨＦ（Ｕｌｔｒａ  Ｈｉｇｈ  Ｆｒｅｑｕｅｎｃｙ）の信号、例えば、３００ＭＨｚ帯の信号である。なお、ＵＨＦの信号は、ＲＦ（Ｒａｄｉｏ  Ｆｒｅｑｕｅｎｃｙ）の信号とも呼ばれる。図１（ｃ）は、レスポンス信号のフォーマットを示す。レスポンス信号は、プリアンブル、同期信号、データを順に配置する。プリアンブル、同期信号は、携帯機１０と車載器２０との間の通信を成立させるために使用される既知の信号である。データは、ＩＤコード、レスポンスコードを含む。ＩＤコードは前述の通りであり、レスポンスコードは、認証コマンドに対応した信号であることを示すための情報である。これらには公知の技術が使用されればよいので、ここでは説明を省略する。図１（ａ）に戻る。
【００１８】
車載器２０は、レスポンス信号を受信する。車載器２０は、レスポンス信号に含まれたＩＤコード、レスポンスコードをもとに、既に送信した探索信号に対する応答を携帯機１０から受けつけたと判定すれば、車両５０のドアロックを解錠させる。
【００１９】
図２（ａ）−（ｂ）は、本発明の実施例の車両用無線通信システム１０００によるキーレス通信の概要を示す。携帯機１０は、ユーザによってドアロック解錠の操作がなされると、キーレス信号を車載器２０に送信する。ユーザによるドアロック解錠の操作は、例えば、携帯機１０に設けられたボタン（図示せず）が押し下げられることである。また、キーレス信号は、レスポンス信号と同一の周波数帯の信号である。
【００２０】
図２（ｂ）は、キーレス信号のフォーマットを示す。キーレス信号は、プリアンブル、同期信号、データを順に配置する。プリアンブル、同期信号は、レスポンス信号におけるそれらと同一である。データは、機能コマンド、ＩＤコード、ローリングコードを含む。機能コマンドは、キーレス通信によって実行させる機能、例えばドアロックの解錠を特定するための情報を示す。ローリングコードは、携帯機１０からのキーレス信号の送信毎に増加する値を示し、例えば２バイトで示される。具体的には、キーレス信号の送信毎にローリングコードの値は「１」ずつ増加する。図２（ａ）に戻る。
【００２１】
車載器２０は、キーレス信号を受信する。車載器２０は、キーレス信号に含まれたＩＤコード、ローリングコードをもとに、車両５０のドアロックを解錠させるか否かを判定する。特に、車載器２０は、ローリングコードが条件を満足していれば、ドアロックを解錠する。ローリングコードに対する条件を説明するために、ここでは、図３（ａ）−（ｄ）を使用する。
【００２２】
図３（ａ）−（ｄ）は、キーレス通信の正常な処理を示す。図３（ａ）は、所定のタイミングにおいて携帯機１０からキーレス信号が送信される場合を示す。ここでは、説明を明瞭にするために、キーレス信号に含まれるローリングコードの値が「１」であるとする。車載器２０は、携帯機１０から送信されたキーレス信号に含まれるローリングコードと照合するためのローリングコード（以下、「参照用ローリングコード」という）を予め記憶する。ここでは、参照用ローリングコードの値が「１」であるとするが、ローリングコードの値との表記の違いを明確にするために、参照用ローリングコードの値「１」は「１’」と示される。また、車載器２０は、「ローリングコードの値が参照用ローリングコードの値以上である」という条件を規定しており、条件を満足する場合にドアロックを解錠する。ローリングコードの値「１」、参照用ローリングコードの値「１’」は条件を満足する。
【００２３】
図３（ｂ）は、図３（ａ）の次のタイミングにおいて携帯機１０からキーレス信号が送信される場合を示す。携帯機１０は、ローリングコードの値「１」をキーレス信号に含めた場合、ローリングコードの値を「２」にインクリメントし、車載器２０は、参照用ローリングコードの値「１’」を使用した場合、参照用ローリングコードの値を「２’」にインクリメントする。なお、ローリングコードの値、参照用ローリングコードの値は、ドアロックを施錠するためにキーレス信号を送信した場合にもインクリメントされるが、ここでは、説明を明瞭にするために、ドアロックを解錠するためだけにキーレス信号が送信されるものとする。車載器２０において、ローリングコードの値「２」、参照用ローリングコードの値「２’」は条件を満足する。
【００２４】
図３（ｃ）は、図３（ｂ）の次のタイミングにおいて携帯機１０からキーレス信号が送信される場合を示す。ここでも、ローリングコードの値「３」、参照用ローリングコードの値「３’」は条件を満足する。図３（ｄ）は、図３（ｃ）よりも後のタイミングにおいて携帯機１０からキーレス信号が送信される場合を示す。ここでは、図３（ｃ）と図３（ｄ）との間に、携帯機１０に設けられたボタンが誤って押し下げられた状況を想定する。誤った押下げによっても、携帯機１０はキーレス信号を送信するが、車載器２０はキーレス信号を受信しない。このような処理によって、ローリングコードの値はインクリメントされるが、参照用ローリングコードの値はインクリメントされない。そのため、図３（ｄ）のごとく、その次に送信されるキーレス信号に含まれるローリングコードの値は「５」であるが、車載器２０における参照用ローリングコードの値は「４’」である。この場合においても、前述の条件は満足される。
【００２５】
このようなキーレス通信におけるロールジャムアタックを図４（ａ）−（ｃ）を使用しながら、説明する。図４（ａ）−（ｃ）は、キーレス通信に対するロールジャムアタック処理を示す。他者によって使用される不正装置３０は、携帯機１０と車載器２０との間に配置される。図４（ａ）では、図３（ａ）と同様に、ローリングコードの値「１」が含まれたキーレス信号が携帯機１０から送信される。不正装置３０は、携帯機１０からのキーレス信号の受信を受けて、妨害電波を車載器２０に送信するとともに、キーレス信号を記憶する。この記憶が前述の模写に相当する。そのため、車載器２０は、妨害電波だけを受信し、キーレス信号を受信しないので、ドアロックを解錠しない。
【００２６】
図４（ｂ）は、図４（ａ）の次のタイミングにおける状況を示す。ユーザは、図４（ａ）において携帯機１０のボタンを押し下げたにもかかわらず、ドアロックが解錠されないので、ボタンを再度押し下げてドアロックを解錠しようとする。これによって、ローリングコードの値「２」が含まれたキーレス信号が携帯機１０から送信される。不正装置３０は、携帯機１０からのキーレス信号の受信を受けて、車載器２０に妨害電波を送信するとともに、キーレス信号を記憶する。一方、不正装置３０は、車載器２０への妨害電波の送信に続けて、既に記憶したローリングコードの値「１」のキーレス信号を車載器２０に送信する。車載器２０は、妨害電波によりローリングコードの値「２」が含まれたキーレス信号を受信せず、妨害電波に続けて送信されたローリングコードの値「１」が含まれたキーレス信号を受信する。ローリングコードの値「１」と参照用ローリングコードの値「１’」は、条件を満足するので、ドアロックが解錠され、携帯機１０のユーザは車両５０（図示せず）に乗り込む。その際、車載器２０における参照用ローリングコードの値は「２’」に更新される。
【００２７】
図４（ｃ）は、図４（ｂ）の次のタイミングにおける状況であり、ユーザによる車両５０の使用が終了し、ドアロックが施錠されている状況を想定する。不正装置３０が、記憶したローリングコードの値「２」のキーレス信号を車載器２０に送信する。車載器２０は、キーレス信号を受信する。ローリングコードの値「２」と参照用ローリングコードの値「２’」は、条件を満足するので、ドアロックが解錠されてしまう。そのため、不正装置３０を使用する他者は車両５０（図示せず）に乗り込んでしまう。
【００２８】
図５は、本発明の実施例の車両用無線通信システム１０００の構成を示す。車両用無線通信システム１０００は、前述のごとく、携帯機１０、車載器２０を含み、車載器２０は、車両５０に搭載される。携帯機１０は、操作部１００、携帯機用制御部１０２、ＵＨＦ送信部１０４、ＬＦ受信部１０６を含み、携帯機用制御部１０２は、要求部１１０、受付部１１２、応答部１１４を含む。車載器２０は、ＵＨＦ受信部２００、車載器用制御部２０２、ＬＦ送信部２０４を含み、車載器用制御部２０２は、判定部２１０、通知部２２０、受付部２２２を含む。車両５０は、ＥＣＵ（Ｅｌｅｃｔｒｏｎｉｃ  Ｃｏｎｔｒｏｌ  Ｕｎｉｔ）５２、ドアロック機構５４、検出部６０を含む。
【００２９】
携帯機１０の操作部１００は、前述のボタンに相当し、ユーザが車両５０のドアロック解錠を要求する場合に押し下げられる。操作部１００は押し下げられた場合に、押下げを要求部１１０に通知する。要求部１１０は、操作部１００からの通知を受けつけると、ＩＤコード、ローリングコードを含めるようにキーレス信号を生成する。キーレス信号のフォーマットは前述の通りである。要求部１１０は、キーレス信号をＵＨＦ送信部１０４に出力する。ＵＨＦ送信部１０４は、要求部１１０からキーレス信号を入力すると、キーレス信号を車載器２０に送信する。このように、要求部１１０、ＵＨＦ送信部１０４は、ローリングコードを含むキーレス信号によって、車載器２０にドアロックの解錠を要求する。その後、要求部１１０は、ローリングコードの値を「１」インクリメントし、ローリングコードの値を保持する。
【００３０】
車載器２０のＵＨＦ受信部２００は、携帯機１０からのキーレス信号を受信する。ＵＨＦ受信部２００は、キーレス信号を判定部２１０に出力する。判定部２１０は、ＵＨＦ受信部２００からキーレス信号を入力すると、キーレス信号からＩＤコード、ローリングコードとを抽出する。判定部２１０は、抽出したＩＤコードと、予め保持したＩＤコードとをもとに、ペア認証を実行する。ペア認証には公知の技術が使用されればよいので、ここでは説明を省略する。ペア認証が成功した場合、判定部２１０は、ローリングコードと参照用ローリングコードとをもとに、条件を満足しているか否かを判定する。
【００３１】
前述のごとく、条件とは、例えば「ローリングコードの値が参照用ローリングコードの値以上である」のように定められる。判定部２１０は、条件が満足される場合に、ドアロックの解錠を決定する。一方、判定部２１０は、条件が満足されない場合に、ドアロックの解錠を拒否する。また、追加の条件として、「ローリングコードの値と参照用ローリングコードの値との差が一定範囲以内である」が定められてもよい。このような追加の条件によって、例えば、「ローリングコードの値が参照用ローリングコードの値以上であって、それらの差が１００以内である」場合に、判定部２１０はドアロックの解錠を決定する。
【００３２】
判定部２１０は、ドアロックの解錠を決定すると、車両５０のＥＣＵ５２に対して、ドアロック機構５４の解錠を指示する。ＥＣＵ５２、ドアロック機構５４には公知の技術が使用されればよいので、ここでは説明を省略する。なお、ドアロックの解錠を決定した場合、あるいはドアロック機構５４が解錠された場合、判定部２１０は、参照用ローリングコードの値を「１」インクリメントし、参照用ローリングコードの値を保持する。
【００３３】
通知部２２０は、判定部２１０がドアロックの解錠を決定した場合、携帯機１０に通知を出力するために、スマート通信における探索信号を使用する。具体的には、探索信号のうちの認証コマンドに、通知を示す情報が含められる。通知部２２０は、生成した探索信号をＬＦ送信部２０４に出力する。ＬＦ送信部２０４は、探索信号を携帯機１０に送信する。
【００３４】
携帯機１０のＬＦ受信部１０６は、車載器２０からの探索信号を受信する。ＬＦ受信部１０６は、探索信号を受付部１１２に出力する。受付部１１２は、探索信号に含まれたＩＤコードを抽出する。また、受付部１１２は、予め保持するＩＤコードと、抽出したＩＤとをもとに、ペア認証を実行する。ペア認証が失敗した場合、後述の処理は実行されない。一方、ペア認証が成功した場合、受付部１１２は、探索信号から、通知を示す情報を抽出する。受付部１１２は、通知を示す情報を応答部１１４に出力する。
【００３５】
応答部１１４は、受付部１１２において受けつけた通知に対する応答を車載器２０に通知するために、スマート通信におけるレスポンス信号を使用する。応答部１１４は、レスポンス信号をＵＨＦ送信部１０４に出力する。ＵＨＦ送信部１０４は、レスポンス信号を車載器２０に送信する。
【００３６】
車載器２０のＵＨＦ受信部２００は、携帯機１０からのレスポンス信号を受信する。ＵＨＦ受信部２００は、レスポンス信号を受付部２２２に出力する。受付部２２２は、携帯機１０からのレスポンス信号を受信した場合、レスポンス信号を受信したことを判定部２１０に通知する。検出部６０は、車両５０のドアノブが触れられたことを検出するセンサである。車両５０のドアノブが触れられたことを検出することは、ドアを開く動作が検出されることに相当する。つまり、これは、車両５０に誰かが乗り込もうとする動作が検出されることに相当する。判定部２１０は、受付部２２２から通知を受けつけた後、つまり受付部２２２がレスポンス信号を受信した場合に、検出部６０によってドアを開く動作が検出されれば、ドアロックの解錠の決定を維持する。これによって、携帯機１０のユーザは、車両５０に乗り込むことが可能になる。
【００３７】
一方、ドアロックを解錠させるためのローリングコードを含むキーレス信号の送信元が不正装置３０である場合、車載器２０と不正装置３０との間でスマート通信が成立しない。具体的に説明すると、通知部２２０、ＬＦ送信部２０４は、判定部２１０がドアロックの解錠を決定した場合、探索信号を送信する。一方、不正装置３０は、スマート通信に対応しないので、車載器２０からの探索信号を受信できない。そのため、不正装置３０は、レスポンス信号も送信しないので、ＵＨＦ受信部２００、受付部２２２は、不正装置３０からのレスポンス信号を受信しない。判定部２１０は、受付部２２２から通知を受けつける前、つまり受付部２２２がレスポンス信号を未受信である場合に、検出部６０によってドアを開く動作が検出されれば、ドアロックの再施錠を決定する。判定部２１０は、車両５０のＥＣＵ５２に対して、ドアロック機構５４の施錠を指示する。
【００３８】
なお、判定部２１０は、受付部２２２がレスポンス信号を未受信である場合に、検出部６０によってドアを開く動作が検出されれば、ドアロックの再施錠を決定する代わりに、受付部２２２がレスポンス信号を未受信である場合に、一定期間経過後にドアロックの再施錠を決定してもよい。この場合も、不正装置３０からローリングコードが送信されていると推定できるからである。
【００３９】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００４０】
以上の構成による車両用無線通信システム１０００の動作を説明する。図６は、車両用無線通信システム１０００による処理手順を示すシーケンス図である。携帯機１０は、ローリングコードの値「１」が含まれたキーレス信号を送信する（Ｓ１０）。不正装置３０は、キーレス信号の受信を受けて、妨害電波を送信する（Ｓ１２）とともに、ローリングコードの値「１」を含むキーレス信号を記憶する（Ｓ１４）。携帯機１０は、ローリングコードの値を「２」に更新する（Ｓ１６）。携帯機１０は、ローリングコードの値「２」が含まれたキーレス信号を送信する（Ｓ１８）。不正装置３０は、キーレス信号の受信を受けて、妨害電波を送信する（Ｓ１９）とともに、ローリングコードの値「１」が含まれたキーレス信号を送信する（Ｓ２０）。その後、ローリングコードの値「２」を含むキーレス信号を記憶する（Ｓ２２）。携帯機１０は、ローリングコードの値を「３」に更新する（Ｓ２４）。
【００４１】
車載器２０は、キーレス信号に含まれたローリングコードの値「１」と、保持している参照用ローリングコード「１’」とが一致するので、解錠を決定する（Ｓ２６）。車載器２０は、参照用ローリングコードの値を「２’」に更新する（Ｓ２８）。車載器２０は、探索信号を携帯機１０に送信する（Ｓ３０）。携帯機１０は、レスポンス信号を携帯機１０に送信する（Ｓ３２）。検出部６０は、ドアを開く動作を検出する（Ｓ３４）。
【００４２】
不正装置３０は、ローリングコードの値「２」が含まれたキーレス信号を送信する（Ｓ３６）。車載器２０は、キーレス信号に含まれたローリングコードの値「２」と、保持している参照用ローリングコード「２’」とが一致するので、解錠を決定する（Ｓ３８）。車載器２０は、参照用ローリングコードの値を「３’」に更新する（Ｓ４０）。車載器２０は、探索信号を送信する（Ｓ４２）。しかしながら、不正装置３０は、探索信号を受信しない。検出部６０が、ドアを開く動作を検出する（Ｓ４４）と、車載器２０は、ドアロックの再施錠を決定する（Ｓ４６）。
【００４３】
図７は、車載器２０による処理手順を示すフローチャートである。ローリングコードが条件を満足していれば（Ｓ１００のＹ）、判定部２１０はドアロックの解錠を決定する（Ｓ１０２）。また、判定部２１０は参照用ローリングコードの値を更新する（Ｓ１０４）。通知部２２０は探索信号を送信する（Ｓ１０６）。受付部２２２がレスポンス信号を受信した場合（Ｓ１０８のＹ）、処理は終了される。一方、受付部２２２がレスポンス信号を受信しない場合（Ｓ１０８のＮ）、検出部６０が、ドアを開く動作を検出すれば（Ｓ１１０のＹ）、判定部２１０は、ドアロックの再施錠を決定する（Ｓ１１２）。検出部６０が、ドアを開く動作を検出しない場合（Ｓ１１０のＮ）、処理は終了される。ローリングコードが条件を満足していない場合（Ｓ１００のＮ）、処理は終了される。
【００４４】
図８は、車載器２０による別の処理手順を示すフローチャートである。ローリングコードが条件を満足していれば（Ｓ２００のＹ）、判定部２１０はドアロックの解錠を決定する（Ｓ２０２）。また、判定部２１０は参照用ローリングコードの値を更新する（Ｓ２０４）。通知部２２０は探索信号を送信する（Ｓ２０６）。受付部２２２がレスポンス信号を受信した場合（Ｓ２０８のＹ）、処理は終了される。一方、受付部２２２がレスポンス信号を受信しない場合（Ｓ２０８のＮ）、判定部２１０は、一定期間経過後にドアロックの再施錠を決定する（Ｓ２１０）。ローリングコードが条件を満足していない場合（Ｓ２００のＮ）、処理は終了される。
【００４５】
本発明の実施例によれば、レスポンス信号を未受信である場合に、ドアを開く動作が検出されれば、ドアロックの再施錠を決定するので、不正装置を使用した解錠動作である場合にドアロックを施錠できる。また、不正装置を使用した解錠動作である場合にドアロックが施錠されるので、ロールジャムアタックの危険性を低減できる。また、レスポンス信号を受信した場合に、ドアを開く動作が検出されれば、ドアロックの解錠の決定を維持するので、携帯機のユーザは車両に乗り込むことができる。また、レスポンス信号を未受信である場合に、一定期間が経過すれば、ドアロックの再施錠を決定するので、不正装置を使用した解錠動作である場合にドアロックを施錠できる。
【００４６】
本発明の一態様の概要は、次の通りである。本発明のある態様の車載器は、携帯機からのローリングコードと、当該ローリングコードと照合すべき参照用のローリングコードとをもとに、ドアロックを解錠するか否かを判定する判定部と、判定部がドアロックの解錠を決定した場合、探索信号を携帯機に送信する送信部と、送信部が送信した探索信号の応答として、レスポンス信号を携帯機から受信する受信部とを備える。判定部は、受信部がレスポンス信号を未受信である場合に、ドアを開く動作が検出されれば、ドアロックの再施錠を決定する。
【００４７】
この態様によると、レスポンス信号を未受信である場合に、ドアを開く動作が検出されれば、ドアロックの再施錠を決定するので、ロールジャムアタックの危険性を低減できる。
【００４８】
判定部は、受信部がレスポンス信号を受信した場合に、ドアを開く動作が検出されれば、ドアロックの解錠の決定を維持してもよい。この場合、受信部がレスポンス信号を受信した場合に、ドアを開く動作が検出されれば、ドアロックの解錠の決定を維持するので、携帯機のユーザは車両に乗り込むことができる。
【００４９】
本発明の別の態様は、車両用無線通信システムである。この車両用無線通信システムは、ローリングコードを含む信号の送信によって、ドアロックの解錠を要求する携帯機と、携帯機からのローリングコードと、当該ローリングコードと照合すべき参照用のローリングコードとをもとに、ドアロックを解錠するか否かを判定する車載器とを備える。車載器は、ドアロックの解錠を決定した場合、探索信号を携帯機に送信し、携帯機は、探索信号の応答として、レスポンス信号を車載器に送信し、車載器は、レスポンス信号を未受信である場合に、ドアを開く動作が検出されれば、ドアロックの再施錠を決定する。
【００５０】
この態様によると、レスポンス信号を未受信である場合に、ドアを開く動作が検出されれば、ドアロックの再施錠を決定するので、ロールジャムアタックの危険性を低減できる。
【００５１】
ローリングコードを含む信号の送信は、携帯機から車載器への一方向通信によってなされ、携帯機への探索信号の送信および車載器へのレスポンス信号の送信は、当該携帯機と車載器との間での双方向通信によってなされてもよい。この場合、一方向通信に双方向通信を組み合わせるので、携帯機と車載器との間で情報を交換できる。
【００５２】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００５３】
本実施例において、ＵＨＦ送信部１０４、ＵＨＦ受信部２００は、ＵＨＦの信号を使用する。しかしながらこれに限らず例えば、ＵＨＦの信号以外であって、かつＬＦよりも高い周波数の信号が使用されてもよい。本変形例によれば、構成の自由度を向上できる。
【００５４】
本実施例において、携帯機１０と車載器２０との間においてスマート通信がなされている。しかしながらこれに限らず例えば、携帯機１０と車載器２０との間でのスマート通信ではなく、電子キーの照合システムであるイモビライザのための無線通信がなされてもよい。そのような無線通信であっても、伝送される情報は実施例と同様である。本変形例によれば、構成の自由度を向上できる。
【００５５】
本実施例において、携帯機１０から送信する信号に含まれるローリングコードに対して暗号化をさらに施してもよい。ロールジャムアタックでは、暗号化されたローリングコードを暗号文のまま模写して、次のタイミングで暗号文のまま送信するので、暗号化自体はロールジャムアタックの対策とはならないものの、ローリングコード自体を解析してドアロックを解錠する別の不正な乗車を防ぐことができるため、キーレス通信におけるセキュリティ性を向上させることができる。
【符号の説明】
【００５６】
１０  携帯機、  ２０  車載器、  ３０  不正装置、  ５０  車両、  ５２  ＥＣＵ、  ５４  ドアロック機構、  ６０  検出部、  １００  操作部、  １０２  携帯機用制御部、  １０４  ＵＨＦ送信部、  １０６  ＬＦ受信部、  １１０  要求部、  １１２  受付部、  １１４  応答部、  ２００  ＵＨＦ受信部、  ２０２  車載器用制御部、  ２０４  ＬＦ送信部、  ２１０  判定部、  ２２０  通知部、  ２２２  受付部、  １０００  車両用無線通信システム。
【図１】
2018059377.tif 000003
【図２】
2018059377.tif 000004
【図３】
2018059377.tif 000005
【図４】
2018059377.tif 000006
【図５】
2018059377.tif 000007
【図６】
2018059377.tif 000008
【図７】
2018059377.tif 000009
【図８】
2018059377.tif 000010